(57)【特許請求の範囲】
【請求項１】
互いに対向する一対の側板を有する支持台と、
下方に向かって凹んだ凹状の洗面ボウルと、前記洗面ボウルの開口端を囲む枠部と、前記洗面ボウルの後方に設けられた排水具と、を有し、前記枠部の後端を前記一対の側板の後端よりも前方に配置した状態で前記支持台の上に設けられた洗面器と、
前記洗面器の上に設けられたパネル本体と、前記パネル本体に取り付けられる水栓と、を有する水栓パネルと、
前記水栓パネルの上に設けられた上部キャビネットと、
前記一対の側板のそれぞれの上に設けられ、前記枠部の後端から前記側板の後端まで延び、前記枠部の後端と前記側板の後端との間に空く隙間を塞ぐ一対のスペーサと、
を備え、
前記一対のスペーサは、前記側板の上面に当接して前記側板に取り付けられるとともに、前記水栓パネルを載置するための載置面を有し、前記載置面に載置された前記水栓パネルを前後方向にスライド可能に支持することを特徴とする洗面化粧台。
【請求項２】
前記一対の側板は、上面に設けられた差し込み穴を有し、
前記一対のスペーサは、前記側板の上面に当接する当接面と、前記当接面から下方に突出した突出部と、を有し、前記突出部を前記差し込み穴に差し込むことにより、前記側板の上面に取り付けられることを特徴とする請求項１記載の洗面化粧台。
【請求項３】
前記一対の側板は、互いに対向する内側面を有し、
前記一対のスペーサのそれぞれに設けられる前記突出部の数は、１つのみであり、
前記一対のスペーサのそれぞれは、前記側板の上面に取り付けられた状態において前記側板の前記内側面に当接することにより前記突出部を軸とする回転を規制する回転規制部材を有することを特徴とする請求項２記載の洗面化粧台。
【請求項４】
前記水栓パネルは、前記一対のスペーサで支持された状態において所定の固定部材で取付壁面に固定されるよう構成されており、
前記一対のスペーサは、前記載置面から上方に突出した係合突起を有し、
前記水栓パネルは、前記係合突起と係合する一対の被係合部を有し、
前記一対の被係合部のそれぞれは、前記水栓パネルが前記取付壁面に固定された状態において、前記一対のスペーサのそれぞれの前記係合突起と係合し、前記一対のスペーサの前記係合突起の内側への移動を規制することを特徴とする請求項１〜３のいずれか１つに記載の洗面化粧台。
【請求項５】
前記係合突起は、前後方向に延び、
前記被係合部は、前記パネル本体の後端から前方に延びる凹部であることを特徴とする請求項４記載の洗面化粧台。
【請求項６】
前記凹部の幅は、前方から後方に向かって広がることを特徴とする請求項５記載の洗面化粧台。
【請求項７】
前記洗面器は、陶磁器製であり、
前記一対のスペーサは、樹脂製であることを特徴とする請求項１〜６のいずれか１つに記載の洗面化粧台。
【発明の詳細な説明】
【技術分野】
【０００１】
本発明の態様は、一般的に、洗面化粧台に関する。
【背景技術】
【０００２】
支持台と、支持台の上に設けられた洗面器と、洗面器の上に載せるようにして壁面に固定される水栓パネルと、水栓パネルの上に載せるようにして壁面に固定される上部キャビネットと、を備えた洗面化粧台が知られている。水栓パネルは、水を吐水する水栓金具を有する。洗面器は、水栓金具から吐水された水を受ける洗面ボウルを有する。また、洗面器には、洗面ボウルから水が溢れ出てしまうことを抑制するオーバーフロー排水具が設けられている。
【０００３】
種々の洗面器の形状や幅に対応できるよう、オーバーフロー排水具は、洗面ボウルの後方に配置することが望まれる。しかしながら、オーバーフロー排水具を洗面ボウルの後方に配置すると、オーバーフロー排水具が、洗面器の後端よりも突出してしまう場合がある。このような場合に、オーバーフロー排水具の配置スペースの分だけ洗面器を手前に配置すると、洗面化粧台を設置する設置空間の壁面と洗面器との間に隙間が空き、洗面化粧台の美観が損なわれてしまう。
【０００４】
例えば、洗面器のバックガード（後端部）を後方へ伸ばすことにより、オーバーフロー排水具を覆い隠すことが考えられる。しかしながら、陶磁器製の洗面器を上記のような形状にすると、洗面器の製造が難しくなってしまう。また、洗面器が破損し易くなってしまうことも懸念される。
【０００５】
例えば、水栓パネルの一部を下方に伸ばし、洗面器と壁面との間に空く隙間を塞ぐことも考えられる。しかしながら、この場合には、水栓パネルの延在部分が洗面器と壁面との間に挟まれるため、水栓パネル及び上部キャビネットを壁面に固定した後は、水栓パネルのみを取り外すことができなくなってしまう。例えば、水栓パネル及び上部キャビネットを施工した後に、水栓パネルの不具合が見つかった場合には、上部キャビネットもしくは洗面台も取り外さなければならない。このように、水栓パネルで隙間を塞ぐ構成では、洗面化粧台の施工性およびメンテナンス性が低下してしまう。
【０００６】
また、支持台の一部を上方に伸ばし、洗面器と壁面との間に空く隙間を塞ぐことも考えられる。しかしながら、支持台には木製のものが用いられることが多いため、この場合には、支持台の製造が難しくなってしまう。例えば、支持台の生産効率の低下や製造コストの増加を招いてしまう。
【０００７】
さらに、水栓パネルは陶磁器製の洗面器の上に載せるようにして壁面に固定されるため、洗面器の焼成誤差により、水栓パネルの上に載せるようにして壁面に固定される上部キャビネットの設置高さのばらつきが比較的大きくなってしまうという問題もある。したがって、水栓パネルを陶磁器製の洗面器の上に載せる構成では、例えば、上部キャビネットと天井面との間に比較的大きな隙間が生じたり、反対に上部キャビネットが水栓パネルと天井との間に入らなくなったりする場合がある。
【０００８】
このため、洗面化粧台においては、オーバーフロー排水具を洗面ボウルの後方に設けた場合にも、美観の低下や施工性およびメンテナンス性の低下を招くことなく、かつ高さ方向の寸法誤差を小さくできるようにすることが望まれる。
【先行技術文献】
【特許文献】
【０００９】
【特許文献１】特開２０１１−８３５８９号公報
【発明の概要】
【発明が解決しようとする課題】
【００１０】
本発明は、かかる課題の認識に基づいてなされたものであり、オーバーフロー排水具を洗面ボウルの後方に設けた場合にも美観の低下や施工性およびメンテナンス性の低下を招くことなく、かつ高さ方向の寸法誤差を小さくできる洗面化粧台を提供することを目的とする。
【課題を解決するための手段】
【００１１】
第１の発明は、互いに対向する一対の側板を有する支持台と、下方に向かって凹んだ凹状の洗面ボウルと、前記洗面ボウルの開口端を囲む枠部と、前記洗面ボウルの後方に設けられた排水具と、を有し、前記枠部の後端を前記一対の側板の後端よりも前方に配置した状態で前記支持台の上に設けられた洗面器と、前記洗面器の上に設けられたパネル本体と、前記パネル本体に取り付けられる水栓と、を有する水栓パネルと、前記水栓パネルの上に設けられた上部キャビネットと、前記一対の側板のそれぞれの上に設けられ、前記枠部の後端から前記側板の後端まで延び、前記枠部の後端と前記側板の後端との間に空く隙間を塞ぐ一対のスペーサと、を備え、前記一対のスペーサは、前記側板の上面に当接して前記側板に取り付けられるとともに、前記水栓パネルを載置するための載置面を有し、前記載置面に載置された前記水栓パネルを前後方向にスライド可能に支持することを特徴とする洗面化粧台である。
【００１２】
この洗面化粧台によれば、スペーサによって隙間を塞ぐため、排水具を洗面ボウルの後方に設けた場合でも、美観の低下を抑制することができる。また、スペーサが水栓パネルを前後方向にスライド可能に支持する。これにより、例えば、上部キャビネットの施工後においても水栓パネルのみを取り外すことができ、施工性やメンテナンス時の作業性の低下を抑制することもできる。また、スペーサには、樹脂などの成形時の寸法精度の高い材料を用いることができ、さらに、スペーサを側板の上面に当接して側板に取り付けるため、洗面器の上に水栓パネルを直接載せる場合に比べて、高さ方向の寸法誤差を小さくすることもできる。
【００１３】
また、第２の発明は、第１の発明において、前記一対の側板が、上面に設けられた差し込み穴を有し、前記一対のスペーサが、前記側板の上面に当接する当接面と、前記当接面から下方に突出した突出部と、を有し、前記突出部を前記差し込み穴に差し込むことにより、前記側板の上面に取り付けられることを特徴とする洗面化粧台である。
【００１４】
この洗面化粧台によれば、突出部を差し込み穴に差し込むだけでスペーサを支持台に取り付けることができ、ネジなどの金具を用いる必要が無い。これにより、ネジなどの部品点数の増加を抑制できるとともに、ネジ穴などが露出することもなく、美観を向上させることができる。また、支持台に洗面器を取り付けた後でもスペーサを取り付けることができるため、施工順序の制約を低減させることができる。すなわち、施工の自由度を高めることができる。
【００１５】
また、第３の発明は、第２の発明において、前記一対の側板が、互いに対向する内側面を有し、前記一対のスペーサのそれぞれに設けられる前記突出部の数が、１つのみであり、前記一対のスペーサのそれぞれが、前記側板の上面に取り付けられた状態において前記側板の前記内側面に当接することにより前記突出部を軸とする回転を規制する回転規制部材を有することを特徴とする洗面化粧台である。
【００１６】
この洗面化粧台によれば、突出部が一つのみであるため、差し込み穴の配置寸法に誤差が生じても確実にスペーサを支持台に取り付けることができる。また、回転規制部材によってスペーサの回転が規制されるため、スペーサの取り付けをより容易にすることができる。
【００１７】
また、第４の発明は、第１〜第３のいずれか１つの発明において、前記水栓パネルは、前記一対のスペーサで支持された状態において所定の固定部材で取付壁面に固定されるよう構成されており、前記一対のスペーサが、前記載置面から上方に突出した係合突起を有し、前記水栓パネルが、前記係合突起と係合する一対の被係合部を有し、前記一対の被係合部のそれぞれが、前記水栓パネルが前記取付壁面に固定された状態において、前記一対のスペーサのそれぞれの前記係合突起と係合し、前記一対のスペーサの前記係合突起の内側への移動を規制することを特徴とする洗面化粧台である。
【００１８】
この洗面化粧台によれば、所定の固定部材で取付壁面に固定される水栓パネルが有する一対の被係合部によって、スペーサ上端の内側への移動が規制されるため、例えば、清掃時などにおいて、内側に押し込まれる力がスペーサに作用した場合にも、スペーサの上端が内側に凹むことを抑制することができる。これにより、例えば、経年的な使用によるスペーサの変形、及び、これにともなう美観の低下を抑制することができる。
【００１９】
また、第５の発明は、第４の発明において、前記係合突起が、前後方向に延び、前記被係合部が、前記パネル本体の後端から前方に延びる凹部であることを特徴とする洗面化粧台である。
【００２０】
この洗面化粧台によれば、水栓パネルを前方から取り付ける際に、凹部に係合突起を嵌め込んだ状態で後方へ移動させることができ、水栓パネルの左右方向の位置の調整を行う手間を省くことができる。従って、取り付け作業をより容易にすることができる。
【００２１】
また、第６の発明は、第５の発明において、前記凹部の幅が、前方から後方に向かって広がることを特徴とする洗面化粧台である。
【００２２】
この洗面化粧台によれば、水栓パネルの取り付けの際に、係合突起をより凹部に嵌め込み易くすることができる。水栓パネルの取り付け作業をより容易にすることができる。
【００２３】
また、第７の発明は、第１〜第６のいずれか１つの発明において、前記洗面器が、陶磁器製であり、前記一対のスペーサが、樹脂製であることを特徴とする洗面化粧台である。
【００２４】
この洗面化粧台によれば、スペーサの寸法公差を小さくし、高さ方向の寸法誤差をより小さくすることができる。
【発明の効果】
【００２５】
本発明の態様によれば、オーバーフロー排水具を洗面ボウルの後方に設けた場合にも、美観の低下や施工性の低下を招くことなく、かつ高さ方向の寸法誤差を小さくできる洗面化粧台を提供することができる。
【図面の簡単な説明】
【００２６】
【図１】本発明の実施の形態に係る洗面化粧台を模式的に表す正面斜視図である。
【図２】本発明の実施の形態に係る洗面化粧台を模式的に表す側面図である。
【図３】本発明の実施の形態に係る洗面化粧台の一部を模式的に表す背面分解斜視図である。
【図４】本発明の実施の形態に係る洗面化粧台の一部を拡大して模式的に表す斜視図である。
【図５】本発明の実施の形態に係る洗面化粧台の一部を拡大して模式的に表す斜視図である。
【図６】本発明の実施の形態に係る洗面化粧台の一部を拡大して模式的に表す斜視図である。
【図７】本発明の実施の形態に係る洗面化粧台の一部を拡大して模式的に表す背面図である。
【図８】図８（ａ）及び図８（ｂ）は、本発明の実施の形態に係る洗面化粧台の一部を模式的に表す部分断面図である。
【図９】本発明の実施の形態に係る洗面化粧台の変形例を模式的に表す斜視図である。
【図１０】本発明の実施の形態に係る洗面化粧台の変形例を模式的に表す背面図である。
【発明を実施するための形態】
【００２７】
以下、本発明の実施の形態について図面を参照しつつ説明する。なお、各図面中、同様の構成要素には同一の符号を付して詳細な説明は適宜省略する。  
図１は、本発明の実施の形態に係る洗面化粧台を模式的に表す正面斜視図である。  
図２は、本発明の実施の形態に係る洗面化粧台を模式的に表す側面図である。  
図３は、本発明の実施の形態に係る洗面化粧台の一部を模式的に表す背面分解斜視図である。  
図１〜図３に表したように、洗面化粧台１０は、支持台１２と、洗面器１４と、水栓パネル１６と、上部キャビネット１８と、一対のスペーサ２０と、を備える。洗面化粧台１０は、洗面所などの設置空間ＩＳにおいて、所定の取付壁面ＷＬに取り付けられた状態で使用される。洗面化粧台１０の高さは、例えば、設置空間ＩＳの床面ＦＬから天井面ＣＰまでの高さと実質的に同じである。
【００２８】
本願明細書においては、取付壁面ＷＬから手前に向かう方向（図２において紙面左に向く方向）を「前方」とし、これと反対の方向を「後方」とする。また、前後方向及び上下方向に対して垂直な方向（図２において紙面に対して直交する方向）を左右方向とする。
【００２９】
支持台１２は、互いに対向する一対の側板３０を有する。各側板３０は、前後方向及び高さ方向に延在する。各側板３０は、互いに対向する内側面３０ｉｓと、内側面３０ｉｓの反対側の外側面３０ｏｓと、を有する。支持台１２は、各側板３０によって洗面器１４を支持する。各側板３０は、実質的に平行である。各側板３０は、略矩形状である。支持台１２は、例えば、略直方体の箱状である。支持台１２は、各側板３０の後端３０ａを取付壁面ＷＬに向けた状態で、設置空間ＩＳに設置される。支持台１２は、例えば、各側板３０の後端３０ａを取付壁面ＷＬに当接させた状態で、床面ＦＬ上に据え付けられ、取付壁面ＷＬに固定される。各側板３０は、例えば、木製である。各側板３０の材料は、樹脂や金属などでもよい。
【００３０】
各側板３０の前端３０ｂには、一対の扉板３２が取り付けられている。各扉板３２は、例えば、ヒンジを介して回動可能に各側板３０に取り付けられる。各扉板３２は、各側板３０で仕切られた空間を塞ぐ位置と、空間を露呈させる位置と、の間で移動する。支持台１２は、収納としても機能する。支持台１２は、換言すれば、下部キャビネットである。この例において、支持台１２は、観音開き式のキャビネットである。各側板３０の前面は、例えば、１枚の扉板３２で塞いでもよい。扉板３２は、例えば、スライド式でもよい。例えば、各側板３０で仕切られた空間内に、引き出しなどの収納具を設けてもよい。支持台１２は、引き出し式のキャビネットでもよい。支持台１２は、必ずしも収納機能を有していなくてもよい。支持台１２は、少なくとも各側板３０を有し、洗面器１４を支持可能に構成されていればよい。
【００３１】
洗面器１４は、支持台１２の上に設けられる。洗面器１４は、例えば、支持台１２の上端部に接着固定される。洗面器１４は、陶磁器製である。洗面器１４は、いわゆる衛生陶器である。洗面器１４の材料は、例えば、樹脂などでもよい。
【００３２】
洗面器１４は、洗面ボウル４０と、枠部４１と、バックガード４２と、排水口４３と、オーバーフロー排水具４４と、を有する。
【００３３】
洗面ボウル４０は、下方に向かって凹んだ凹状に形成されている。洗面ボウル４０は、水栓パネル１６から吐出された水を受ける。枠部４１は、洗面ボウル４０の開口端（上端）を囲む。バックガード４２は、枠部４１の後端部から上方に突出した部分である。従って、枠部４１の後端部分の厚さは、バックガード４２の分だけ枠部４１の前端部分の厚さよりも厚い。
【００３４】
枠部４１の平面形状（上方から見た形状）は、矩形状である。洗面器１４は、枠部４１の下面を支持台１２の各側板３０の上面に当接させることにより、洗面ボウル４０を支持台１２内（各側板３０の間）に入り込ませた状態で、支持台１２に支持される。
【００３５】
枠部４１の幅（左右方向の長さ）は、支持台１２の幅と実質的に同じか、支持台１２の幅よりも僅かに広い。また、枠部４１の前端は、閉じた状態の各扉板３２の前面の位置と実質的に同じか、閉じた状態の各扉板３２の前面よりも僅かに前方に位置する。これにより、支持台１２の上端部分が上方に露出してしまうことを抑制することができる。例えば、洗面化粧台１０の美観を向上させることができる。
【００３６】
排水口４３は、洗面ボウル４０の底部に設けられる。排水口４３は、図示を省略した排水管に接続され、洗面ボウル４０に吐出された水を排水管に流す。
【００３７】
オーバーフロー排水具４４は、洗面ボウル４０の後方に設けられる。オーバーフロー排水具４４は、例えば、略Ｌ字状の配管である。オーバーフロー排水具４４は、例えば、洗面ボウル４０の背面から後方に延びる第１管路部と、第１管路部の後端から下方に延びる第２管路部と、を有する。
【００３８】
オーバーフロー排水具４４の一部は、洗面ボウル４０内に入り込み、オーバーフロー口４４ａを形成する。オーバーフロー口４４ａは、洗面ボウル４０内において前方を向く。オーバーフロー口４４ａは、排水口４３よりも上に配置される。また、オーバーフロー口４４ａは、枠部４１の上面よりも下に配置される。
【００３９】
オーバーフロー排水具４４は、図示を省略したオーバーフロー経路を介して排水管に接続される。例えば、ゴム栓などで排水口４３を塞いで洗面ボウル４０内に水を溜めた場合に、オーバーフロー口４４ａの高さに達した水は、オーバーフロー排水具４４を介して排水管に排水される。これにより、オーバーフロー排水具４４は、洗面ボウル４０から水が溢れてしまうことを抑制する。
【００４０】
オーバーフロー排水具４４は、枠部４１の後端４１ａよりも後方に突出する。このため、洗面器１４は、オーバーフロー排水具４４の配置スペースの分だけ、枠部４１の後端４１ａを各側板３０の後端３０ａよりも前方に配置した状態で支持台１２の上に設けられる。換言すれば、洗面器１４は、後端４１ａを取付壁面ＷＬから離間させた状態で支持台１２の上に設けられる。オーバーフロー排水具４４の枠部４１の後端４１ａからの突出量は、例えば、０よりも大きく１５ｃｍ以下である。
【００４１】
水栓パネル１６は、洗面器１４の上に設けられる。水栓パネル１６は、洗面器１４の上方に配置された状態で取付壁面ＷＬに固定される。水栓パネル１６は、パネル本体５０と、吐水口５１（スパウト）と、操作部５２と、湯水混合部５３と、を有する。
【００４２】
パネル本体５０は、洗面器１４の上に設けられる。パネル本体５０は、前板５０ａと、一対の側板５０ｂと、上板５０ｃと、底板５０ｄと、を有する。パネル本体５０は、後方に向けて開口した略直方体の箱状である。パネル本体５０の幅は、洗面器１４の枠部４１の幅よりも僅かに広い。また、前板５０ａ及び各側板５０ｂの下端は、底板５０ｄよりも下方に延びている。パネル本体５０は、洗面器１４の上に設けられた状態において、バックガード４２の上端付近の一部を覆う。これにより、洗面器１４と水栓パネル１６との間に隙間が空いてしまうことを抑制することができる。例えば、洗面化粧台１０の美観を向上できる。パネル本体５０は、樹脂製である。パネル本体５０の材料は、例えば、ＡＢＳ樹脂である。パネル本体５０の材料は、金属などでもよい。
【００４３】
吐水口５１及び操作部５２は、パネル本体５０の前面に取り付けられる。吐水口５１は、洗面ボウル４０に向けて水を吐出する。操作部５２は、吐水口５１から吐出される水の流量及び温度を調節する。この例において、操作部５２は、レバーハンドルである。操作部５２は、これに限ることなく、回転型のハンドルなどでもよい。操作部５２は、少なくとも流量を調節できればよい。吐水口５１及び操作部５２は、金属製である。吐水口５１及び操作部５２は、いわゆる水栓金具である。吐水口５１及び操作部５２の材料は、樹脂などでもよい。なお、操作部５２は、例えば、洗面器１４に設けてもよい。操作部５２は、水栓パネル１６においては、必要に応じて設けられ、省略可能である。
【００４４】
湯水混合部５３は、パネル本体５０の裏側に取り付けられる。このように、パネル本体５０には、吐水口５１や湯水混合部５３などの水栓が取り付けられる。パネル本体５０に取り付けられる水栓は、これらに限ることなく、例えば、ハンドシャワーなどでもよい。
【００４５】
湯水混合部５３は、パネル本体５０の裏側において、操作部５２と接続されている。湯水混合部５３には、給水管５４と、給湯管５５と、供給配管５６と、が接続されている。給水管５４は、上水管などに接続される。給湯管５５は、給湯器などに接続される。これにより、湯水混合部５３には、給水管５４を介して水が供給されるとともに、給湯管５５を介して湯が供給される。湯水混合部５３は、供給配管５６を介して吐水口５１と接続される。湯水混合部５３は、操作部５２の操作に応じて、給水管５４からの水及び給湯管５５からの湯を混合する。そして、湯水混合部５３は、混合後の水を供給配管５６を介して吐水口５１に供給する。これにより、操作部５２の操作に応じた流量及び温度の水が、吐水口５１から吐出される。
【００４６】
上部キャビネット１８は、水栓パネル１６の上に設けられる。上部キャビネット１８は、水栓パネル１６の上に載せた状態で、ネジなどにより、取付壁面ＷＬに固定される。上部キャビネット１８は、前方に向けて開口した箱状のキャビネット本体６０と、キャビネット本体６０の収納空間を開閉する扉板６２と、を有する。また、扉板６２の前面には、ミラー６４が設けられている。
【００４７】
扉板６２は、例えば、ヒンジを介して回動可能にキャビネット本体６０に取り付けられ、キャビネット本体６０の収納空間を塞ぐ位置と、収納空間を露呈させる位置と、の間で移動する。扉板６２は、スライド式でもよい。キャビネット本体６０に取り付けられる扉板６２の枚数は、２枚以上でもよい。上部キャビネット１８は、引き出し式のキャビネットなどでもよい。扉板６２及びミラー６４は、必要に応じて設けられ、省略可能である。
【００４８】
各スペーサ２０のそれぞれは、枠部４１の後端４１ａと各側板３０の後端３０ａとの間の各側板３０の上に設けられる。各スペーサ２０は、例えば、各側板３０の上面に当接して各側板３０に着脱可能に取り付けられる。各スペーサ２０のそれぞれは、枠部４１の後端４１ａから側板３０の後端３０ａまで延びる。各スペーサ２０の前端は、枠部４１の後端４１ａに接する。各スペーサ２０の後端は、側板３０の後端３０ａと実質的に面一である。これにより、各スペーサ２０は、枠部４１の後端４１ａと側板３０の後端３０ａとの間に空く隙間を塞ぐ。換言すれば、各スペーサ２０は、枠部４１の後端４１ａと取付壁面ＷＬとの間に空く隙間を塞ぐ。
【００４９】
各スペーサ２０は、側板３０の上面に当接する当接面２０ａと、水栓パネル１６を載置するための載置面２０ｂと、を有する。各スペーサ２０は、当接面２０ａを側板３０の上面に当接させた状態で、側板３０に取り付けられる。各スペーサ２０は、載置面２０ｂに載置された水栓パネル１６を前後方向にスライド可能に支持する。
【００５０】
載置面２０ｂの高さは、枠部４１の上端の高さ以上である。換言すれば、当接面２０ａと載置面２０ｂとの間の距離は、枠部４１の厚さ以上である。この例において、載置面２０ｂの高さは、バックガード４２の上端の高さ以上である。これにより、水栓パネル１６が載置面２０ｂに載置される。載置面２０ｂの高さが、枠部４１の上端の高さよりも高い場合には、水栓パネル１６が、洗面器１４に当接することなく、載置面２０ｂに載置される。水栓パネル１６は、各スペーサ２０の載置面２０ｂに載置された状態で、洗面器１４の上に配置され、取付壁面ＷＬに固定される。
【００５１】
載置面２０ｂの高さは、例えば、バックガード４２の高さの設計値＋５ｍｍに設定される。洗面器１４のバックガード４２の部分における寸法公差は、例えば、±５ｍｍである。従って、上記のように載置面２０ｂの高さを設定することにより、バックガード４２の方が載置面２０ｂよりも高くなってしまうことを抑制することができる。載置面２０ｂの高さは、例えば、バックガード４２の高さの設計値とバックガード４２の寸法公差の上限値との和に設定される。側板３０の上面を基準とした場合、載置面２０ｂの高さと枠部４１の上端の高さとの差の絶対値は、例えば、０ｍｍ以上１０ｍｍ以下である。
【００５２】
各スペーサ２０は、樹脂製である。これにより、各スペーサ２０では、陶磁器製の洗面器１４に比べて、寸法公差を小さくすることができる。各スペーサ２０には、例えば、ポリプロピレンが用いられる。各スペーサ２０に用いられる樹脂材料の弾性率は、パネル本体５０に用いられる樹脂材料の弾性率よりも低い。各スペーサ２０には、パネル本体５０よりもしなやかな材料が用いられる。各スペーサ２０の材料は、樹脂材料に限ることなく、例えば、金属などでもよい。
【００５３】
図４〜図６は、本発明の実施の形態に係る洗面化粧台の一部を拡大して模式的に表す斜視図である。  
図７は、本発明の実施の形態に係る洗面化粧台の一部を拡大して模式的に表す背面図である。  
図４〜図７に表したように、スペーサ２０は、側板部７０と、底板部７１と、上板部７２と、前板部７３と、を有する。なお、各スペーサ２０の形状は、左右対称の実質的に同じ形状である。従って、以下では、一方のスペーサ２０について説明し、他方のスペーサ２０については詳細な説明を省略する。
【００５４】
側板部７０は、前後方向及び上下方向に延びる。側板部７０の前後方向の長さは、枠部４１の後端４１ａと各側板３０の後端３０ａとの間の前後方向の長さと実質的に同じである。側板部７０の上下方向の長さは、当接面２０ａと載置面２０ｂとの間の上下方向の長さと実質的に同じである。すなわち、枠部４１の後端４１ａと側板３０の後端３０ａとの間に空く隙間は、側板部７０によって塞がれる。
【００５５】
底板部７１は、側板部７０の下端に設けられる。底板部７１は、側板部７０の下端から内側に向けて突出する。上板部７２は、側板部７０の上端に設けられる。上板部７２は、側板部７０の上端から内側に向けて突出する。これにより、底板部７１によって当接面２０ａが形成され、上板部７２によって載置面２０ｂが形成される。
【００５６】
底板部７１には、当接面２０ａから下方に突出した突出部７４が設けられている。また、底板部７１の先端には、下方に向けて突出した回転規制部材７５が設けられている。支持台１２の側板３０の上面には、突出部７４に応じた形状の差し込み穴３０ｃが設けられている。
【００５７】
スペーサ２０を支持台１２に取り付ける場合には、突出部７４を差し込み穴３０ｃに差し込む。これにより、スペーサ２０が支持台１２に取り付けられる。この例において、突出部７４は、丸棒状であり、差し込み穴３０ｃは、丸穴状である。突出部７４の直径は、差し込み穴３０ｃの直径と実質的に同じである。これにより、突出部７４は、差し込み穴３０ｃに嵌合する。突出部７４及び差し込み穴３０ｃの形状は、これに限ることなく、任意の形状でよい。
【００５８】
また、スペーサ２０に設けられる突出部７４の数は、１つのみである。これにより、支持台１２に対するスペーサ２０の取り付けを容易にすることができる。突出部７４は、スペーサ２０に複数設けてもよい。
【００５９】
回転規制部材７５は、突出部７４を差し込み穴３０ｃに差し込んだ状態において、側板３０の内側面３０ｉｓに当接する。回転規制部材７５は、板状であり、側板３０に取り付けられた状態において、内側面３０ｉｓと対向する面を内側面３０ｉｓに当接させる。これにより、回転規制部材７５は、突出部７４を軸とするスペーサ２０の回転を規制する。回転規制部材７５を設けることにより、例えば、支持台１２に対するスペーサ２０の取付強度を高めることもできる。回転規制部材７５の形状は、板状に限ることなく、スペーサ２０の回転を規制できる任意の形状でよい。
【００６０】
スペーサ２０は、載置面２０ｂから上方に突出した係合突起７６を有する。水栓パネル１６は、各スペーサ２０のそれぞれの係合突起７６に対応して設けられた一対の被係合部１６ａを有する。一対の被係合部１６ａは、水栓パネル１６が一対のスペーサ２０のそれぞれの載置面２０ｂの上に載置された状態において、一対のスペーサ２０のそれぞれの係合突起７６と係合し、係合突起７６の左右方向の位置を規制する。すなわち、一対の被係合部１６ａのそれぞれは、水栓パネル１６が取付壁面ＷＬに固定された状態において、一対のスペーサ２０のそれぞれの係合突起７６と係合し、一対のスペーサ２０の係合突起７６の内側への移動を規制する。被係合部１６ａは、係合突起７６と係合することにより、スペーサ２０の上端部の左右方向の位置を規制する。
【００６１】
係合突起７６は、前後方向に延びる板状である。被係合部１６ａは、パネル本体５０の底板５０ｄの後端から前方に延びるスリット状の凹部である。被係合部１６ａの幅は、係合突起７６の幅と実質的に同じである。
【００６２】
水栓パネル１６を洗面器１４の上に取り付ける場合には、底板５０ｄを載置面２０ｂに当接させるとともに、各係合突起７６を各被係合部１６ａに挿し込む。これにより、水栓パネル１６が、各スペーサ２０によって前後方向にスライド可能に支持される。
【００６３】
また、底板５０ｄには、上方に突出したリブ５０ｅが設けられている。リブ５０ｅは、スリット状の被係合部１６ａに沿って形成されている。これにより、例えば、被係合部１６ａの部分におけるパネル本体５０の強度を高めることができる。例えば、側板５０ｂとリブ５０ｅとによって、係合突起７６をより適切に挟むことができる。
【００６４】
前述のように、パネル本体５０の各側板５０ｂの下端は、底板５０ｄよりも下方に延びている。このため、側板部７０には、側板５０ｂの厚さに応じた段差部７０ａが設けられている。これにより、スペーサ２０の左右方向の最外面２０ｓは、パネル本体５０の側面５０ｓと実質的に面一になっている。パネル本体５０の側面５０ｓは、換言すれば、側板５０ｂの外面である。
【００６５】
このように、スペーサ２０は、パネル本体５０の側面５０ｓと実質的に連続する面を形成し、支持台１２の側板３０の上面と実質的に同じ高さに段差を形成する。これにより、例えば、洗面化粧台１０の外観を、水栓パネル１６の一部を下方に伸ばして洗面器１４と取付壁面ＷＬとの間の隙間を塞ぐ場合と実質的に同じにすることができる。
【００６６】
スペーサ２０の底板部７１の左右方向の長さは、側板３０の内側面３０ｉｓとパネル本体５０の側面５０ｓとの間の左右方向の距離と実質的に同じである。これにより、最外面２０ｓを側面５０ｓと実質的に面一にすることができる。なお、本願明細書において、「面一」とは、例えば、隣接する２つの面の高さ（面に対して垂直な方向の位置）の差が、２ｍｍ以下の場合を指すものとする。
【００６７】
側板部７０は、例えば、段差部７０ａにおいて側板５０ｂの下端に接する。これにより、最外面２０ｓを側面５０ｓと連続させることができる。最外面２０ｓと側面５０ｓとの間に空く隙間は、少なくとも２ｍｍ以下である。これにより、例えば、洗面化粧台１０の美観を向上させることができる。
【００６８】
前板部７３は、側板部７０の前端から内側に突出する。前板部７３は、側板部７０と洗面器１４との間に空く隙間を塞ぐ。これにより、例えば、洗面化粧台１０の美観をより向上させることができる。
【００６９】
図８（ａ）及び図８（ｂ）は、本発明の実施の形態に係る洗面化粧台の一部を模式的に表す部分断面図である。  
図８（ａ）及び図８（ｂ）に表したように、水栓パネル１６のパネル本体５０には、水栓パネル１６を取付壁面ＷＬに固定するための固定部５８が設けられている。固定部５８は、前板５０ａから後方に延びる筒状である。固定部５８の後端の前後方向の位置は、パネル本体５０の後端の前後方向の位置と実質的に同じである。従って、パネル本体５０の後端を取付壁面ＷＬに接触させると、固定部５８の後端も取付壁面ＷＬに接触する。また、固定部５８の内側の面には、段差部が設けられている。固定部５８の内径は、前端から後端に向かう途中において狭くなる。
【００７０】
固定部５８は、パネル本体５０に複数設けられる。固定部５８は、例えば、パネル本体５０の左右の両端付近に１つずつ、計２つ設けられる。固定部５８の数は、３つ以上でもよい。
【００７１】
水栓パネル１６は、各固定部５８の数に応じた複数のネジＳＣ（固定部材）によって取付壁面ＷＬに固定される。固定部５８の内径は、ネジＳＣの外径に対応している。ネジＳＣは、ネジ頭を固定部５８内の段差部に当接させ、固定部５８の段差部よりも後方の部分を、ネジ頭と取付壁面ＷＬとで挟み込むことにより、水栓パネル１６を取付壁面ＷＬに固定する。
【００７２】
水栓パネル１６を取付壁面ＷＬに固定する場合には、水栓パネル１６を各スペーサ２０の載置面２０ｂに載置し、パネル本体５０の後端及び固定部５８の後端を取付壁面ＷＬに接触させる。そして、その状態で各固定部５８にネジＳＣを挿通し、ネジＳＣを取付壁面ＷＬに締め込む。これにより、各ネジＳＣによって水栓パネル１６が取付壁面ＷＬに固定される。また、各固定部５８は、キャップ５９（図１参照）によって塞がれる。これにより、各ネジＳＣが前方に露出し、洗面化粧台１０の美観が低下してしまうことを抑制することができる。このように、水栓パネル１６は、各スペーサ２０で支持された状態においてネジＳＣなどの所定の固定部材で取付壁面ＷＬに固定されるように構成されている。固定部材ＳＣは、ネジＳＣに限ることなく、例えば、釘などでもよい。
【００７３】
上部キャビネット１８は、水栓パネル１６の上に載置された状態で、複数のネジにより取付壁面ＷＬに固定される。上部キャビネット１８は、例えば、水栓パネル１６に面接触する。上部キャビネット１８は、水栓パネル１６との間に、水栓パネル１６の前後方向の移動を阻害する係合部などを形成しない。上部キャビネット１８は、水栓パネル１６の前後方向の移動を阻害することなく、水栓パネル１６の上に設けられる。
【００７４】
水栓パネル１６は、各スペーサ２０の載置面２０ｂの上に載置され、係合突起７６と被係合部１６ａとの係合により、前後方向にスライド可能に各スペーサ２０に支持される。従って、洗面化粧台１０では、上部キャビネット１８を水栓パネル１６の上に取り付けた後においても、各ネジＳＣを抜き、パネル本体５０を手前にスライドさせることで、水栓パネル１６のみを取付壁面ＷＬから取り外すことができる。
【００７５】
このように、洗面化粧台１０では、枠部４１の後端４１ａと側板３０の後端３０ａとの間に空く隙間が、各スペーサ２０によって塞がれる。換言すれば、支持台１２と洗面器１４と水栓パネル１６と取付壁面ＷＬとで囲まれた空間が、各スペーサ２０によって塞がれる。これにより、洗面化粧台１０では、オーバーフロー排水具４４を洗面ボウル４０の後方に設け、洗面器１４の枠部４１の後端４１ａを各側板３０の後端３０ａよりも前方に配置した場合にも、美観の低下を抑制することができる。
【００７６】
また、洗面化粧台１０では、上述のように、上部キャビネット１８の施工後においても水栓パネル１６のみを取り外すことができ、施工性やメンテナンス時の作業性の低下を抑制することもできる。また、各スペーサ２０には、樹脂などの成形時の寸法精度の高い材料を用いることができ、さらに、スペーサ２０を側板３０の上面に当接して側板３０に取り付けるため、洗面器１４の上に水栓パネル１６を直接載せる場合に比べて、洗面化粧台１０の高さ方向の寸法誤差を小さくすることもできる。例えば、上部キャビネット１８と天井面ＣＰとの間に比較的大きな隙間が生じたり、上部キャビネット１８が水栓パネル１６と天井面ＣＰとの間に入らなくなったりすることを抑制することができる。
【００７７】
また、洗面化粧台１０では、突出部７４を差し込み穴３０ｃに差し込むことにより、スペーサ２０を側板３０の上面に取り付けることができる。従って、洗面化粧台１０では、ネジなどを用いることなくスペーサ２０を支持台１２に取り付けることができ、部品点数の増加を抑制できるとともに、ネジ穴などが露出することもなく、美観を向上させることができる。また、支持台１２に洗面器１４を取り付けた後でもスペーサ２０を支持台１２に取り付けることができる。従って、洗面化粧台１０の施工順序の制約を低減させ、施工の自由度を高めることもできる。
【００７８】
また、洗面化粧台１０では、突出部７４の数を１つのみとし、回転規制部材７５によってスペーサ２０の回転を規制する。これにより、差し込み穴３０ｃの配置寸法に誤差が生じても確実にスペーサ２０を支持台１２に取り付けることができる。また、スペーサ２０の取り付けをより容易にすることもできる。
【００７９】
また、洗面化粧台１０では、スペーサ２０が係合突起７６を有し、被係合部１６ａが係合突起７６の左右方向の位置を規制する。これにより、スペーサ２０の上端の内側への移動が規制されるため、例えば、清掃時などにおいて、内側に押し込まれる力がスペーサ２０に作用した場合にも、スペーサ２０の上端が内側に凹むことを抑制することができる。これにより、例えば、経年的な使用によるスペーサ２０の変形、及び、これにともなう美観の低下を抑制することができる。
【００８０】
また、洗面化粧台１０では、係合突起７６及び被係合部１６ａが前後方向に延びる。これにより、水栓パネル１６を前方から取り付ける際に、凹部状の被係合部１６ａに係合突起７６を嵌め込んだ状態で後方へ移動させることができ、水栓パネル１６の左右方向の位置の調整を行う手間を省くことができる。従って、取り付け作業をより容易にすることができる。
【００８１】
図９は、本発明の実施の形態に係る洗面化粧台の変形例を模式的に表す斜視図である。  図９に表したように、この例の水栓パネル１１６では、前後方向に延びる凹部である被係合部１６ａの幅が、前方から後方に向かって広がる。なお、上記実施形態と機能・構成上実質的に同じものについては、同符号を付し、詳細な説明は省略する。
【００８２】
水栓パネル１１６の被係合部１６ａは、第１部分１６ｂと、第２部分１６ｃと、を有する。第１部分１６ｂは、係合突起７６と実質的に同じ幅を有し、係合突起７６の左右方向の位置を規制する。第２部分１６ｃは、第１部分１６ｂよりも後方に配置され、第１部分１６ｂよりも広い幅を有する。第２部分１６ｃは、パネル本体５０の底板５０ｄの後端付近に配置される。第２部分１６ｃの幅は、例えば、後方に向かって連続的に広がる。
【００８３】
このように、被係合部１６ａにおいて第１部分１６ｂと第２部分１６ｃとを設ける。被係合部１６ａの幅をパネル本体５０の底板５０ｄの後端付近において広げる。これにより、水栓パネル１１６の取り付けの際に、係合突起７６をより被係合部１６ａに嵌め込み易くすることができる。水栓パネル１１６では、上記実施形態で示している水栓パネル１６に比べて、取り付け作業をより容易にすることができる。
【００８４】
図１０は、本発明の実施の形態に係る洗面化粧台の変形例を模式的に表す背面図である。  
図１０に表したように、この例では、各スペーサ１２０が、上方に向かって外側に広がるように形成されている。各スペーサ１２０では、各側板部７０が傾斜している。各側板部７０は、各スペーサ１２０を支持台１２に取り付け、かつ、水栓パネル１６を取り付けていない状態において、各側板部７０間の距離が上方に向かって広がるように傾斜している。各スペーサ１２０では、各スペーサ１２０を支持台１２に取り付け、かつ、水栓パネル１６を取り付けていない状態において、各係合突起７６間の間隔が、水栓パネル１６の各被係合部１６ａ間の間隔よりも広い。
【００８５】
各スペーサ１２０には、上記実施形態で説明したスペーサ２０と同様に、樹脂や金属などの弾性を有する材料が用いられる。各スペーサ１２０の載置面２０ｂに水栓パネル１６を載置し、各被係合部１６ａを各係合突起７６に係合させる場合には、各側板部７０を弾性変形させ、各係合突起７６間の間隔を各被係合部１６ａ間の間隔に合わせて狭める。この後、各係合突起７６を各被係合部１６ａに挿し込む。これにより、上記実施形態と同様に、水栓パネル１６が、各スペーサ１２０に支持される。
【００８６】
各スペーサ１２０では、各側板部７０の弾性により、各側板部７０や各係合突起７６が、水栓パネル１６の各側板５０ｂの内側の面に押し付けられる。これにより、例えば、水栓パネル１６や支持台１２の横幅に公差が生じた場合などにおいても、水栓パネル１６の側面５０ｓとスペーサ１２０の最外面２０ｓとを面一にし易くすることができる。例えば、洗面化粧台１０の外観をより向上させることができる。
【００８７】
以上、本発明の実施の形態について説明した。しかし、本発明はこれらの記述に限定されるものではない。前述の実施の形態に関して、当業者が適宜設計変更を加えたものも、本発明の特徴を備えている限り、本発明の範囲に包含される。例えば、洗面化粧台１０などが備える各要素の形状、寸法、材質、配置などは、例示したものに限定されるわけではなく適宜変更することができる。  
また、前述した各実施の形態が備える各要素は、技術的に可能な限りにおいて組み合わせることができ、これらを組み合わせたものも本発明の特徴を含む限り本発明の範囲に包含される。
【符号の説明】
【００８８】
１０ 洗面化粧台、  １２ 支持台、  １４ 洗面器、  １６、１１６ 水栓パネル、  １６ａ 被係合部、  １８ 上部キャビネット、  ２０、１２０ スペーサ、  ３０ 側板、  ３２ 扉板、  ４０ 洗面ボウル、  ４１ 枠部、  ４２ バックガード、  ４３ 排水口、  ４４ オーバーフロー排水具、  ５０ パネル本体、  ５１ 吐水口、  ５２ 操作部、  ５３ 湯水混合部、  ５４ 給水管、  ５５ 給湯管、  ５６ 供給配管、  ５８ 固定部、  ５９ キャップ、  ６０ キャビネット本体、  ６２ 扉板、  ６４ ミラー、  ７０ 側板部、  ７１ 底板部、  ７２ 上板部、  ７３ 前板部、  ７４ 突出部、  ７５ 回転規制部材、  ７６ 係合突起
【図１】
0006489361.tif 000002
【図２】
0006489361.tif 000003
【図３】
0006489361.tif 000004
【図４】
0006489361.tif 000005
【図５】
0006489361.tif 000006
【図６】
0006489361.tif 000007
【図７】
0006489361.tif 000008
【図８】
0006489361.tif 000009
【図９】
0006489361.tif 000010
【図１０】
0006489361.tif 000011